(57)【特許請求の範囲】
【請求項１】
玄米を入れるホッパ部と、前記ホッパ部からの玄米を精米する精米部と、前記精米部を動作させるモータ部と、精米開始及び精米停止を行なうスイッチと、商用電源の周波数を検知する周波数検知手段と、玄米から精米に至る経路内の米の有無を検知するセンサ部と、前記モータ部を制御する制御部を備え、前記制御部は前記スイッチが押されたことを検知すると精米を開始し、前記センサ部で米が無いことを検知すると、前記周波数検知手段で検知した周波数に応じた時間後に精米を停止する精米器。
【請求項２】
玄米を入れるホッパ部と、前記ホッパ部からの玄米を精米する精米部と、前記精米部を動作させるモータ部と、精米開始及び精米停止を行なうスイッチと、商用電源の周波数を検知する周波数検知手段と、玄米から精米に至る経路内の米の有無を検知するセンサ部と、前記モータ部を制御する制御部を備え、前記制御部は前記スイッチが押されたことを検知すると精米を開始し、前記センサ部で米が無いことを検知すると、タイマ手段が動作開始し、前記周波数検知手段で検知した周波数に応じた時間後に、前記タイマ手段が停止し、精米を停止する精米器。
【請求項３】
玄米を入れるホッパ部と、前記ホッパ部からの玄米を精米する精米部と、前記精米部を動作させるモータ部と、精米開始及び精米停止を行なうスイッチと、精米度を調節する調節部と、前記調節部の位置を検知する調節位置検知手段と、玄米から精米に至る経路内の米の有無を検知するセンサ部と、前記モータ部を制御する制御部を備え、前記制御部は前記スイッチが押されたことを検知すると精米を開始し、前記センサ部で米が無いことを検知すると、前記調節位置検知手段で検知した位置に応じた時間後に、精米を停止する精米器。
【請求項４】
玄米を入れるホッパ部と、前記ホッパ部からの玄米を精米する精米部と、前記精米部を動作させるモータ部と、精米開始及び精米停止を行なうスイッチと、精米度を調節するためにバネ圧を変える調節部と、前記調節部の位置を検知する調節位置検知手段と、玄米から精米に至る経路内の米の有無を検知するセンサ部と、前記モータ部を制御する制御部を備え、前記制御部は前記スイッチが押されたことを検知すると精米を開始し、前記センサ部で米が無いことを検知すると、タイマ手段が動作開始し、前記調整位置検知手段で検知した位置に応じた時間後に、前記タイマ手段が停止し、精米を停止する精米器。
【発明の詳細な説明】
【０００１】
【発明の属する技術分野】
本発明は、主に家庭で使用される精米器に関するものである。
【０００２】
【従来の技術】
近年の健康ブーム及びグルメブームに伴い、より栄養価の高いごはんあるいはよりおいしいごはんに対する検討が盛んに行なわれている。そのような中にあって、好みのつき加減のつきたてのお米でご飯が炊ける家庭用の精米器のニーズが、高まってきている。
【０００３】
以下に従来の精米器の精米工程について説明する。
【０００４】
図６は従来の精米器の基本構成を示すものである。図６において１は玄米を入れ精米部１２に送るホッパ部、２は精米の出口を押さえるキャップ部、３はキャップ部２を押さえるばね部、４はキャップ部２を押さえる圧力を調節する調節部、５はホッパ部１から落ちてくる玄米をキャップ部２に向かって押し出す精米ロール、６は精米と米糠を分離する精米ネット、７は精米ロール５を回転させるモータ部、８は玄米がどのくらいのレベル残っているかを検知する対向型の光センサを用いたセンサ部、９はセンサ部８からの信号を受けてモータ部７の動作を制御する制御部、１０は制御部９に精米開始及び精米停止の信号を送るスイッチ部、１１は精米時に発生する米糠を貯める糠容器である。１２は精米部で、ホッパ部１から落ちてきた玄米は精米ロール５によってキャップ部２に向かって押し出される力が働き、キャップ部２により逆方向に押し戻される力が働く。その２方向の力により玄米は精米ネット６の中で互いに擦れ合うことにより精米される。精米ネット２にはスリットが入っているため擦れ落ちた米糠はそのスリットから糠容器１１に落ちる。
【０００５】
以上のように構成された従来の精米器の精米工程について、以下その動作について説明する。まず、初期状態（電源投入状態）にてステップ１０１でスイッチが押されるとその信号が制御部９に送られ、ステップ１０２でセンサ部８にてホッパ部１に玄米が有るか無いかを検知する。ホッパ部１に玄米があればステップ１０３に移行し精米を開始する。そして、精米が進み、ステップ１０４でセンサ部８が玄米が無いことを検知すると、ステップ１０５に移行しタイマ手段が働く。タイマ手段が働き初めてから一定の時間動き続けた後にステップ１０６でタイマ手段が停止する。また、ステップ２でセンサ部８がホッパ部１に玄米が無い事を検知した場合は、ステップ１０７に進みタイマ手段が働き初めてから一定の時間動き続けた後にステップ６でタイマ手段が停止し、それを受けて精米が停止する。
【０００６】
図７は以上の動作を示したものである。
【０００７】
次に精米の原理について説明する。ホッパ部１０１に入れられた玄米はセンサ部１０８を通り、精米部１１２に落ちていく。精米部１１２の心棒１０５には螺旋状の溝が切ってあり、モータ部１０７により心棒１０５に回転力が加えられると、ホッパ部１０１から落ちてきた玄米は、キャップ部１０２に向かって送り出される。この時に、心棒１０５の回転力により、玄米どうしがこすれ合い米糠が取れる。取れた米糠は、精米ネット１０６の中を精米が通過するうちに、精米ネット１０６から糠容器１１１に落ち、精米と米糠は分離される。精米は、ばね部１０３のばね圧以上の圧力でキャップ部１０２から押し出されてくる。このように精米は行なわれる。
【０００８】
【発明が解決しようとする課題】
しかしながら上記の従来の構成では、以下に示すような問題点を有していた。センサ部により米無しを検知してから一定時間後に自動停止を行うと、精米してキャップ部から押し出されずに、精米と米糠を分離する精米ネット部に残った玄米が、必要以上にモータが回転し玄米が割れ、次回精米したとき割れた米がでる。
【０００９】
本発明は上記従来の問題点を解決するもので、必要以上にモータが回転し玄米が割れることを低減した精米器を提供することを目的とする。
【００１０】
【課題を解決するための手段】
この目的を達成するために本発明の第１の手段は、玄米を入れるホッパ部と、前記ホッパ部からの玄米を精米する精米部と、前記精米部を動作させるモータ部と、精米開始及び精米停止を行なうスイッチと、商用電源の周波数を検知する周波数検知手段と、玄米から精米に至る経路内の米の有無を検知するセンサ部と、前記モータ部を制御する制御部を備え、前記制御部は前記スイッチが押されたことを検知すると精米を開始し、前記センサ部で米が無いことを検知すると、前記周波数検知手段で検知した周波数に応じた時間後に精米を停止するよう構成したものである。
【００１１】
更に、この目的を達成するために本発明の第２の手段は、玄米を入れるホッパ部と、前記ホッパ部からの玄米を精米する精米部と、前記精米部を動作させるモータ部と、精米開始及び精米停止を行なうスイッチと、商用電源の周波数を検知する周波数検知手段と、玄米から精米に至る経路内の米の有無を検知するセンサ部と、前記モータ部を制御する制御部を備え、前記制御部は前記スイッチが押されたことを検知すると精米を開始し、前記センサ部で米が無いことを検知すると、タイマ手段が動作開始し、前記周波数検知手段で検知した周波数に応じた時間後に、前記タイマ手段が停止し、精米を停止するよう構成したものである。
【００１２】
更に、この目的を達成するために本発明の第３の手段は、玄米を入れるホッパ部と、前記ホッパ部からの玄米を精米する精米部と、前記精米部を動作させるモータ部と、精米開始及び精米停止を行なうスイッチと、精米度を調節する調節部と、前記調節部の位置を検知する調節位置検知手段と、玄米から精米に至る経路内の米の有無を検知するセンサ部と、前記モータ部を制御する制御部を備え、前記制御部は前記スイッチが押されたことを検知すると精米を開始し、前記センサ部で米が無いことを検知すると、前記調節位置検知手段で検知した位置に応じた時間後に、精米を停止するよう構成したものである。
【００１３】
更に、この目的を達成するために本発明の第４の手段は、玄米を入れるホッパ部と、前記ホッパ部からの玄米を精米する精米部と、前記精米部を動作させるモータ部と、精米開始及び精米停止を行なうスイッチと、精米度を調節するためにバネ圧を変える調節部と、前記調節部の位置を検知する調節位置検知手段と、玄米から精米に至る経路内の米の有無を検知するセンサ部と、前記モータ部を制御する制御部を備え、前記制御部は前記スイッチが押されたことを検知すると精米を開始し、前記センサ部で米が無いことを検知すると、タイマ手段が動作開始し、前記調整位置検知手段で検知した位置に応じた時間後に、前記タイマ手段が停止し、精米を停止するよう構成したものである。
【００１４】
【発明の実施の形態】
第１の手段によって、センサ部により米無し検知してから精米が停止するまでの間に、周波数検知手段により時間差を持たせることができる。これにより必要以上にモータが回転して玄米が割れることを低減することができる。
【００１５】
第２の手段によって、センサ部により米無し検知してから精米が停止するまでの間に、調整位置検知手段により時間差を持たせることができる。これにより必要以上にモータが回転して玄米が割れることを低減することができる。
【００１６】
【実施例】
（実施例１）
以下、本発明の第１の実施例について、図面を参照しながら説明する。
【００１７】
図１において、１は玄米を入れ精米部１２に送るホッパ部、２は精米の出口を押さえるキャップ部、３はキャップ部２を押さえるばね部、４はキャップ部２を押さえる圧力を調節する調節部、５はホッパ部１から落ちてくる玄米をキャップ部２に向かって押し出す精米ロール、６は精米と米糠を分離する精米ネット、７は精米ロール５を回転させるモータ部、８は玄米がどのくらいのレベル残っているかを検知する対向型の光センサを用いたセンサ部、９はセンサ部８からの信号を受けてモータ部７の動作を制御する制御部、１０は制御部９に精米開始及び精米停止の信号を送るスイッチ部、１１は精米時に発生する米糠を貯める糠容器である。１２は精米部で、ホッパ部１から落ちてきた玄米は精米ロール５によってキャップ部２に向かって押し出される力が働き、キャップ部２により逆方向に押し戻される力が働く。その２方向の力により玄米は精米ネット６の中で互いに擦れ合うことにより精米される。精米ネット２にはスリットが入っているため擦れ落ちた米糠はそのスリットから糠容器１１に落ちる。
【００１８】
以上のように構成された精米器について、図２を用いてその動作を説明する。まず、初期状態（電源投入状態）にてステップ１１にて商用電源の周波数を検知しそこで判別した結果をタイマ手段に信号をおくり、ステップ１２でスイッチが押されるとその信号が制御部９に送られ、ステップ１３でセンサ部８にてホッパ部１に玄米が有るか無いかを検知する。ホッパ部１に玄米があればステップ１４に移行し精米を開始する。そして、精米が進み、ステップ１５でセンサ部８が玄米が無いことを検知すると、ステップ１６に移行しタイマ手段が働く。タイマ手段が働き初めてから周波数検知手段で検知した周波数に応じた時間動き続け、ステップ１７でタイマ手段が停止する。また、ステップ１３でセンサ部８がホッパ部１に玄米が無い事を検知した場合は、ステップ１８に進みタイマ手段が働き初めてから周波数検知手段で検知した周波数に応じた時間動き続けた後にステップ１７でタイマ手段が停止し、それを受けて精米が停止する。
【００１９】
このように本実施例によれば、センサ部８が玄米が無いことを検知した後タイマ手段によって決められた時間がたった後に精米を停止するようになっているので、時間差を持たせることができる。これにより必要以上にモータが回転して玄米が割れることを低減することができる。
【００２０】
（実施例２）
次に、本発明の第２の実施例について図３を用いて説明する。
【００２１】
図１において、１は玄米を入れ精米部１２に送るホッパ部、２は精米の出口を押さえるキャップ部、３はキャップ部２を押さえるばね部、４はキャップ部２を押さえる圧力を調節する調節部、５はホッパ部１から落ちてくる玄米をキャップ部２に向かって押し出す精米ロール、６は精米と米糠を分離する精米ネット、７は精米ロール５を回転させるモータ部、８は玄米がどのくらいのレベル残っているかを検知する対向型の光センサを用いたセンサ部、９はセンサ部８からの信号を受けてモータ部７の動作を制御する制御部、１０は制御部９に精米開始及び精米停止の信号を送るスイッチ部、１１は精米時に発生する米糠を貯める糠容器である。１２は精米部で、ホッパ部１から落ちてきた玄米は精米ロール５によってキャップ部２に向かって押し出される力が働き、キャップ部２により逆方向に押し戻される力が働く。その２方向の力により玄米は精米ネット６の中で互いに擦れ合うことにより精米される。精米ネット２にはスリットが入っているため擦れ落ちた米糠はそのスリットから糠容器１１に落ちる。
【００２２】
以上のように構成された精米器について、図４を用いてその動作を説明する。まず、初期状態（電源投入状態）にてステップ２１でスイッチが押されるとその信号が制御部９に送られ、ステップ２２でセンサ部８にてホッパ部１に玄米が有るか無いかを検知する。ホッパ部１に玄米があればステップ２３に移行し精米を開始する。そして、精米が進み、ステップ２４でセンサ部８が玄米が無いことを検知すると、ステップ２５に移行し調整部の位置を検知しそこで判別した結果をタイマ手段に信号をおくり、ステップ２６でタイマ手段が働く。タイマ手段が働き初めてから調整位置検知手段で検知した位置に応じた時間動き続けた後にステップ２７でタイマ手段が停止する。また、ステップ２２でセンサ部８がホッパ部１に玄米が無い事を検知した場合は、ステップ２８に進みタイマ手段が働き初めてから調整位置検知手段で検知した位置に応じた時間動き続けた後にステップ２７でタイマ手段が停止し、それを受けて精米が停止する。
【００２３】
このように本実施例によれば、センサ部８が玄米が無いことを検知した後タイマ手段によって決められた時間がたった後に精米を停止するようになっているので、時間差を持たせることができる。これにより必要以上にモータが回転して玄米が割れることを低減することができる。
【００２４】
【発明の効果】
以上のように、本願発明によれば、玄米を入れるホッパ部と、前記ホッパ部からの玄米を精米する精米部と、前記精米部を動作させるモータ部と、精米開始及び精米停止を行なうスイッチと、商用電源の周波数を検知する周波数検知手段と、玄米から精米に至る経路内の米の有無を検知するセンサ部と、前記モータ部を制御する制御部を備え、前記制御部は前記スイッチが押されたことを検知すると精米を開始し、前記センサ部で米が無いことを検知すると、前記周波数検知手段で検知した周波数に応じた時間後に精米を停止することで、精米してキャップ部から押し出されずに、精米と米糠を分離する精米ネット部に残った玄米が、必要以上にモータが回転し玄米が割れ、次回精米したとき割れた米がでることを解決し、必要以上にモータが回転し玄米が割れることを低減し、省エネもなる構造となっている。
【図面の簡単な説明】
【図１】本発明の第１の実施例における精米器の断面図
【図２】同精米器の動作を示すフローチャート
【図３】本発明の第２の実施例における精米器の断面図
【図４】同精米器の動作を示すフローチャート
【図５】従来の精米器の断面図
【図６】同精米器の動作を示すフローチャート
【符号の説明】
１    ホッパ部
７    モータ部
８    センサ部
９    制御部
１０  スイッチ
１２  精米部
【図１】
0003627519.tif 000002
【図２】
0003627519.tif 000003
【図３】
0003627519.tif 000004
【図４】
0003627519.tif 000005
【図５】
0003627519.tif 000006
【図６】
0003627519.tif 000007